(57)【要約】  【課題】  簡単な構成で、水平，垂直いずれの配置であっても、スピンドルモータに負荷を与えることなく、スラスト方向のガタを防止するようにした、ディスク装置を提供する。  【解決手段】  ターンテーブル３の表面に鉄等よりなるリング状の磁性部材４が設けられており、またシャーシ１ひいてはスピンドルモータ２とターンテーブル３との間に、リング状のマグネット１１が磁性部材４と同心で配置されている。このため、本装置を垂直配置で使用したときでも、このマグネット１１の磁力により、磁性部材４ひいてはこれが設けられたターンテーブル３を、スピンドルモータ２側に引き付けるので、出力軸２ａに直接負荷を加えることなく非接触にて、これの有するスラストガタを吸収することができる。【選択図】      図３
2006286151.tif 000002
【特許請求の範囲】
【請求項１】
ディスクを載置して回転させるターンテーブルと、該ターンテーブルを出力軸に取り付けて回転駆動するスピンドルモータとを備えたディスク装置において、
前記ターンテーブルに磁性部材を設け、前記ターンテーブルと前記スピンドルモータとの間にマグネットを配置したことを特徴とするディスク装置。
【請求項２】
前記マグネットにより、前記磁性部材ひいてはこれを設けたターンテーブルを前記スピンドルモータに引き付ける方向に付勢することにより、前記出力軸の前記スピンドルモータに対するスラストガタを吸収するようにしたことを特徴とする請求項１に記載のディスク装置。
【発明の詳細な説明】
【技術分野】
【０００１】
本発明は、ディスクの記録或いは再生を行うディスク装置に関するものであり、更に詳しくは、ディスクを載置して回転するターンテーブルを有するディスク装置に関するものである。
【背景技術】
【０００２】
現在、情報信号の記録媒体であるディスクの記録や再生を行なうディスク装置として、ＣＤ（コンパクトディスク）やＤＶＤ（デジタル・バーサタイル・ディスク）等のディスクに対応するものが提供されている。この様なディスク装置においては、ディスクを載置して回転させるターンテーブルが設けられており、ターンテーブルはスピンドルモータの出力軸に直接取り付けられ、回転駆動されるのが一般的である。
【０００３】
このようなスピンドルモータの出力軸は、モータ本体に対してスラスト方向のガタを通常有しているが、ターンテーブルが上向きとなる一般のいわゆる水平配置にて使用するディスク装置においては、ターンテーブルに載置されるディスク及びこのディスクを押さえるスタビライザーの自重が、スピンドルモータの出力軸に対してスラスト方向に加わるので、これにより、上記スラスト方向のガタは吸収されていた。
【０００４】
その他、モータの出力軸をスラスト方向に正しく位置決めできるとしたモータ出力軸位置決め装置が、特許文献１に開示されている。これは、モータ出力軸に嵌合されたウォームと当該ウォームに噛み合うウォーム歯車とを収容すると共に、モータ出力軸の先端を受け入れる空洞部を形成したギアケースと、上記空洞部にモータ出力軸の軸受および鋼球を配置し、空洞部の底部に向けて形成された回動防止用の支持脚及び／又はスラストガタ調整用の突起を備えたメタルホルダーと、上記空洞部に形成された充填孔から注入されて空洞部に充填された充填剤とから構成されるとしている。
【特許文献１】特開平５−１５１０３号公報
【発明の開示】
【発明が解決しようとする課題】
【０００５】
しかしながら、上記水平配置ではなく、ターンテーブルが横向きとなるいわゆる垂直配置にて使用するディスク装置においては、ディスク及びスタビライザーの自重はスピンドルモータの出力軸に対してラジアル方向に加わるため、スラスト方向のガタを吸収することはできなかった。
【０００６】
また、上記特許文献１に記載されているような構成では、装置が大掛かりとなる上に、モータの出力軸に対して常に余分な負荷が掛かるので、モータの効率や耐久性等に悪影響を及ぼすおそれがあった。
【０００７】
本発明は、このような問題点に鑑み、簡単な構成で、水平，垂直いずれの配置であっても、スピンドルモータに負荷を与えることなく、スラスト方向のガタを防止するようにした、ディスク装置を提供することを目的とする。
【課題を解決するための手段】
【０００８】
上記目的を達成するために、本発明では、ディスクを載置して回転させるターンテーブルと、そのターンテーブルを出力軸に取り付けて回転駆動するスピンドルモータとを備え、ターンテーブルに磁性部材を設けるとともに、ターンテーブルとスピンドルモータとの間にマグネットを配置した構成としている。
【０００９】
そして、前記マグネットにより、磁性部材ひいてはこれを設けたターンテーブルをスピンドルモータに引き付ける方向に付勢することにより、出力軸のスピンドルモータに対するスラストガタを吸収するようにしている。
【発明の効果】
【００１０】
本発明によれば、簡単な構成で、水平，垂直いずれの配置であっても、スピンドルモータに負荷を与えることなく、スラスト方向のガタを防止するようにした、ディスク装置を提供することができる。
【００１１】
具体的には、マグネットの磁力により、磁性部材ひいてはこれが設けられたターンテーブルを、スピンドルモータ側に引き付ける構成としたことにより、出力軸に直接負荷を加えることなく非接触にて、これの有するスラストガタを吸収することができる。
【００１２】
そしてこれにより、スピンドルモータの回転制御特性、ひいてはピックアップのサーボ制御特性を安定化させることができる。
【発明を実施するための最良の形態】
【００１３】
以下、本発明の実施の形態について、図面を参照しながら説明する。
【実施例１】
【００１４】
図１は、本発明の実施例１に係るディスク装置の外観斜視図である。同図に示すように、略長方形板状をしたシャーシ１の一端部において、裏面側にスピンドルモータ２が設けられており、表面側に突出するその出力軸２ａにターンテーブル３が取り付けられている。そして、ターンテーブル３の表面には、鉄等よりなるリング状の磁性部材４が設けられている。その他、ディスクの径方向に移動して記録或いは再生を行うピックアップ５と、これを駆動するピックアップ駆動機構６が、シャーシ１に設けられている。
【００１５】
図２は、本実施例に係るディスク装置を水平配置で使用した状態を示す図であり、ターンテーブルが配置されている側の側面図である。同図に示すように、本装置を水平配置で使用したときは、ターンテーブル３にディスク７を載置した状態で、その上からスタビライザー８で押さえることにより、ディスク７を保持している。この場合、ディスク７とスタビライザー８の自重が、スピンドルモータ２の出力軸２ａに対してスラスト方向に加わるので、これにより、出力軸２ａが有するスラスト方向のガタは吸収される。このことは、上述した従来の構成と同様である。なお、同図においてシャーシ１の裏面側に設けられた９は、ピックアップ駆動機構６を駆動する駆動モータである。
【００１６】
図３は、本実施例に係るディスク装置を垂直配置で使用した状態を示す図である。同図（ａ）は全体側面図であり、同図（ｂ）はＡ部詳細断面図である。本実施例では同図に示すように、ターンテーブル３の表面に鉄等よりなるリング状の磁性部材４が設けられており、またシャーシ１ひいてはスピンドルモータ２とターンテーブル３との間に、リング状のマグネット１１が磁性部材４と同心で配置されている。
【００１７】
このため、本装置を同図のように垂直配置で使用したときでも、このマグネット１１の磁力により、磁性部材４ひいてはこれが設けられたターンテーブル３を、矢印Ｂの方向即ちスピンドルモータ２側に引き付けるので、出力軸２ａに直接負荷を加えることなく非接触にて、これの有する矢印Ｃで示す方向のスラストガタを吸収することができる。なお、上記マグネット１１は、シャーシ１表面に取り付けられたブラケット１０上に配置されたものである。
【００１８】
このように、本発明によれば、簡単な構成で、水平，垂直いずれの配置であっても、スピンドルモータに負荷を与えることなく、スラスト方向のガタを防止して、スピンドルモータの回転制御特性、ひいてはピックアップのサーボ制御特性を安定化させることができる。
【００１９】
但し、上記磁性部材やマグネットがリング状であること、また同心で設けられている構成に限定されるものではなく、ターンテーブルがスピンドルモータの出力軸周りにおいて、モータ側にバランスよく引き付けられる構成であれば良い。また、磁性部材とマグネットの配置が逆であっても構わない。更には、例えば磁性部材にもマグネットを用いて、マグネット同士の吸引或いは反発により、スラストガタを吸収する構成としても良い。
【産業上の利用可能性】
【００２０】
本発明は、ディスク装置のスピンドルモータに限らず、出力軸のスラストガタを非接触で吸収する構成として、様々な装置に適用可能である。
【図面の簡単な説明】
【００２１】
【図１】本発明の実施例１に係るディスク装置の外観斜視図。
【図２】本実施例に係るディスク装置を水平配置で使用した状態を示す図。
【図３】本実施例に係るディスク装置を垂直配置で使用した状態を示す図。
【符号の説明】
【００２２】
１    シャーシ
２    スピンドルモータ
２ａ    出力軸
３    ターンテーブル
４    磁性部材
５    ピックアップ
６    ピックアップ駆動機構
７    ディスク
８    スタビライザー
９    駆動モータ
１０    ブラケット
１１    マグネット
【図１】
2006286151.tif 000003
【図２】
2006286151.tif 000004
【図３】
2006286151.tif 000005